Podtech/llm-jp-corpus-v4-ja_patent huggingface dataset:
(57)【要約】      （修正有）【課題】掃除機を掛けた後でよい香がただよったり消臭されたりする掃除機につける芳香剤または消臭剤の筐体を提供する。【解決手段】３ｃｍ四方位の大きさで、厚さ２ｃｍ位の硬くて軽く頑丈さを持ったプラスチックまたはアルミでできた筐体１であり、空気の流入側と反対側の流出側には空気を通すためにメッシュ状の穴３が空けられていて、筐体１の中には芳香剤または消臭剤２が入れられており、筐体１の外側に掃除機の空気排出口に挟み込むためのクリップ４が付属している。【選択図】図１
0003215084.tif 000002
【実用新案登録請求の範囲】
【請求項１】
３ｃｍ四方位のの大きさで、厚さは２ｃｍ位の硬くて軽く頑丈さを持ったプラスチック等でできた筐体であり、空気の流入側と反対側の流出側には空気を通すためにメッシュ状の穴が空けられていて、前記筐体の中には芳香剤や消臭剤が入れられており、前記筐体の外側に掃除機の空気排出口に挟み込むためのクリップが付属していることを特徴とする、掃除機につける芳香剤、消臭剤。
【考案の詳細な説明】
【技術分野】
【０００１】本考案は、掃除機の排気部分に取り付ける、芳香及び消臭剤に関するものである。
【背景技術】
【０００２】芳香剤及び消臭剤はトイレ用、室内用、車内用と様々に広く利用されている。
【考案の概要】
【考案が解決しようとする課題】
【０００３】清掃と共に室内によい香を添加したり室内の消臭をしたりして、清掃後のリフレッシュ感や清潔感を高める。
【課題を解決するための手段】
【０００４】本考案は、掃除機の排気される部分に芳香剤や消臭剤を挟み込んで、排気の気流に乗って、有効物質が室内に拡散していくものである。
【考案の効果】
【０００５】漫然と芳香剤を部屋に置きっぱなしにしているのではなく、清掃後に香ったり消臭するので、リフレッシュ感が強く感じられる【０００６】清掃はじゃまくさいものでもあるので取り組みにくいい人も少なくない。そのような人に対して、清掃後のよい香や消臭効果が動機付けになる可能性がある。【０００７】掃除機だけでなく、室内用エアコンの噴き出し口等空気が噴き出している所に使える。
【図面の簡単な説明】
【０００８】
【図１】掃除機に取り付ける芳香剤、消臭剤の本体
【図２】掃除機の排気口に、取り付けた芳香剤、消臭剤
【考案を実施するための形態】
【０００９】３ｃｍ四方位の大きさで、厚さは２ｃｍ位のプラスチックでできた筐体であり、空気の流入側と反対側の流出側には空気を通すためにメッシュ状の穴が空けられていて、前記筐体の中には芳香剤や消臭剤が入れられている。また、前記筐体の外に掃除機の空気排出口に挟み込むためのクリップが付属している。
【実施例】
【００１０】以下添付図に従って、一実施例を説明する。［図１］の１は、２の芳香剤消臭剤を収めるプラスチックでできた筐体であり、前記筐体の上部と、下部には３のメッシュ状の穴が空いている。前記筐体の側面には、ボールペン等に使われている４のクリップが付属しており、掃除機の排気口に前記クリップを挟み込み取り付けるようになっている。【００１１】［図２］は［図１］を掃除機に装着した状態の図である。
【符号の説明】
【００１２】１プラスチックでできた筐体の側断面図
２筐体の中に収められた芳香剤または、消臭剤
３筐体の上下に空けられたメッシュ状の穴
４筐体の側面に付属するクリップ
５掃除機
６［図１］の正面図
【図１】
0003215084.tif 000003
【図２】
0003215084.tif 000004
【手続補正書】
【提出日】平成29年11月20日(2017.11.20)
【手続補正１】
【補正対象書類名】実用新案登録請求の範囲
【補正対象項目名】全文
【補正方法】変更
【補正の内容】
【実用新案登録請求の範囲】
【請求項１】
３ｃｍ四方位の大きさで、厚さ２ｃｍ位の硬くて軽く頑丈さを持ったプラスチックまたはアルミでできた筐体であり、空気の流入側と反対側の流出側には空気を通すためにメッシュ状の穴が空けられていて、前記筐体の中には芳香剤または消臭剤が入れられており、前記筐体の外側に掃除機の空気排出口に挟み込むためのクリップが付属していることを特徴とする、掃除機につける芳香剤または消臭剤の筐体。
(57)【要約】      （修正有）【課題】袋内部に縦状の溶着仕切りを設けることにより、利便性・省力化とエコを追求したレジエコ袋を提供する。【解決手段】ポリエチレン製手提げ型マチ付きレジ袋・角型レジ袋において、袋内部１の中央部に１または複数の縦状の溶着仕切り線２を設けそのいずれかを使い分けし、これによって区切られた空間をつくり商品の大・小と各種別の袋詰めを可能とし、利便性と袋本体の倹約を追求した。【選択図】図１
0003215087.tif 000002
【実用新案登録請求の範囲】
【請求項１】
図１・図２の袋内部に、１または複数の縦状の溶着仕切りを設けたレジエコ袋。
【考案の詳細な説明】
【技術分野】
【０００１】本考案は、レジエコ袋に関する。
【背景技術】
【０００２】従来スーパー・コンビニ等でのレジ袋は、ポリエチレン製のものが多く、殆ど手提げ型マチ付き・角型のものが使われていた。
【考案の概要】
【考案が解決しようとする課題】
【０００３】しかしながら、従来の手提げ型マチ付き・角型レジ袋は、単に物を入れ持ち運びするだけのものであった。
【課題を解決するための手段】
【０００４】本考案は、従来の手提げ型マチ付き・角型レジ袋において、形状は多様であるが、袋内部２に１または複数の縦状の溶着仕切りを設けた。
【考案の効果】
【０００５】本考案に係るレジエコ袋は、袋内部２において仕切りを設け区分することにより、商品の大・小と食品・雑貨等の品目別に仕分けすることが可能となった。これによって従来商品別の袋詰めから解放され、一つの袋で品目別に収納でき、利便性・省力化を追求し、また倹約することができた。
【図面の簡単な説明】
【０００６】
【図１】本考案に係るレジエコ袋の手提げ型マチ付きレジ袋の斜視図である。
【図２】本考案に係るレジエコ袋の角型レジ袋の斜視図である。
【考案を実施するための形態】
【０００７】図１・図２・に示すように、従来の手提げ型マチ付きレジ袋・角型レジ袋において、袋内部２に縦状の溶着仕切りを設け、その際形状・寸法等を考慮し、位置の調整と１または複数の仕切りを選択する。
【符号の説明】
【０００８】１  体部
２  袋内部仕切り
【図１】
0003215087.tif 000003
【図２】
0003215087.tif 000004
【手続補正書】
【提出日】平成29年12月1日(2017.12.1)
【手続補正１】
【補正対象書類名】実用新案登録請求の範囲
【補正対象項目名】全文
【補正方法】変更
【補正の内容】
【実用新案登録請求の範囲】
【請求項１】
従来のポリエチレン製手提げ型マチ付きレジ袋・角型レジ袋において、袋中央部に１・または袋内部に適度な複数の縦状の溶着仕切り線を設けそのいずれかを使い分けし、これによって区切られた空間をつくり商品の大・小と各種別の袋詰めを可能とし、利便性と袋本体の倹約を追求したレジエコ袋。
(57)【要約】      （修正有）【課題】楽につかみ取る事が出来、容易に分離反転して転色出来その駒群と平たい盤でゲームが出来るゲーム機を提供する。【解決手段】所定の目数の盤と、盤の目数以上の平丸形か平角型の駒とを備え、駒は表面を１／４分割した時、左右に２か所開角９０°の凸部ａを付け、残り上下部を凹部ｂにし凸部ａを凹面よりやや小さくし凹凸面は同色で裏面も同形で別の色のついた上形板２と、上形板２と同形で面の表裏に上形板２とは異なる２色をつけた下形板３を有し、上形板２と下形板３とを上下クロスして組み置くと凹凸のある色表示面同士が上下に組み合わさり、横振れせず４色が表示できる１組の駒が形成された事を特徴とする。【選択図】図３
0003215081.tif 000002
【実用新案登録請求の範囲】
【請求項１】
所定の目数の盤と、盤の目数以上の平丸形か平角型の駒とを備えるゲーム機であって、前記駒は表面を１／４分割した時、左右に２か所開角９０°の凸部を付け残り上下部を凹部にし凸部を凹面よりやや小さくし凹凸面は同色で裏面も同形で別の色のついた第一の形板と、前期第１の形板と同形で面の表裏に前期第１の形板とは異なる２色をつけた第２の形板を有し、前期第１の形板と前期第２の形板とを上下クロスして組み置くと凹凸のある色表示面同士が上下に組み合わさり、横振れせず４色が表示できる１組の前期駒が形成された事を特徴とするゲーム器
【請求項２】
前期形板は番号付けされている事を特徴とする請求項１記載のゲーム器
【考案の詳細な説明】
【技術分野】
【０００１】  本考案は２人から４人まで各持ち色を決めて数字の大小により優劣を決めて駒のプレートを転色していくゲーム器に関する物である。
【背景技術】
【０００２】  このゲーム器は古来から発達して来た日本独特の鋏将棋や日本人の開発したオセロゲームの様に自分の持ち駒で相手の駒を挟んで自分の色駒にしていくと言う理念を用いている。
【先行技術文献】
【実用新案文献】
【０００３】実用新案広告番号  平４−５００６０号の六面体駒色計算ゲーム器の新案登録文献
実用新案登録番号  第３２０２４９６号  プレートで構成する４色表示駒とゲーム器
実用新案登録番号  第３２０７８０９号  色表示プレートと台座ベースで構成する４色表示駒とゲーム器
実用新案登録番号  第３２１１２８２号  ２枚の形状板で成る４色表示駒とゲーム器
【考案の概要】
【考案が解決しようとする課題】
【０００４】先に開発したゲーム器に於いて上下に重なる形状板の駒を取り出す時、或は上板を転色する際、隣の駒の凸部に指が当たりやすく反転しずらい面がある。また４角形の駒を少し間を開けて並べ置くと駒の凸部が目立ち整然と見えない面がある。駒を並べ置くときに綺麗に整然と見せたい。また形状板をさらに簡単に反転させたい。
【課題を解決するための手段】
【０００５】形を平丸形か平角型の形板にして、表裏面とも面を４分割し左右の１／４円分或は１／４角分を凸部にして上下の残部を凹部にし、凸部を凹面より少し小さくし表裏に別の色を付ける。また一方の形板も同形で表裏にまた別の２色を付けその２枚で４色を表し、形板同士をクロスして組み一個の駒とする。そうすると色表示面の凹凸部が上下に組合い横ぶれせず丸い或は角型の平形の駒になる。そうすると盤の目の角部と丸い或は角形の駒の間に空間ができ楽につかみ取る事が出来、容易に分離反転して転色出来その駒群と平たい盤でゲームが出来る。
【図面の簡単な説明】
【０００６】
【図１】  本新案駒１の形状板の平面図
【図２】  上図と同形の板をクロスして見た１組の形状板の分離側面図
【図３】  本新案駒１の組み立て正面側面図
【図４】  裏面から見た平面組立図
【図５】  駒が角型の場合の平面図
【図６】  その側面図
【図７】  駒を４個並べ置いた状況図
【本新案を実施する為の駒の形態】
【０００７】  図１は本新案駒１の上形板２の平面図で、丸形で表面を４等分に分割した時、左右方向に開角９０°の凸部ａが有あり、上下の残部を凹部ｂとし凸部を凹部よりやや小さくし表裏同形で、凹凸を含めた表面がＡ色（赤色）で面全体が同色なので色が見やすい。裏面は同様にＢ色（白色）でありこの形は全ての形板同形である。図２は２枚で一組の分離した形板の側面図を示し下形板は３は上形板２を９０°回した状態で見ていて上面にＣ色（青色）が付くとすると裏面はＤ色（黄色）が付く。この状態で上下面を合わすと互いの色表示面の凹凸部が組合い、図３の様な４色を示す丸い平形の一個の駒となり上下形板が横ぶれしない。図４はそれを下方から見ている。この駒は図５の様な角形の平形板５でも同様に形成でき図６はその側面図を示し盤の目数が６×６目番だとすると駒を３６個以上揃えるとゲームが出来る。
【０００８】  またこの丸形の駒を持ち色Ａ，Ｂ，Ｃ，Ｄの人が盤４の４目に対してＮｏ．１，２，３，４と図７の様に凸部が右上と左下に来るように置いた時、各駒の斜線を引いた凸部ａの辺の線が駒越しに四角形を作り駒が安定して綺麗に見える。角形も同様である。また各プレイヤーが駒を盤の目の軸線ｃを中心に指で左下と右上をもって反転させると受け皿が丁度そこにあるので形板が１枚でも２枚でも簡単に反転し転色しやすい。
【符号の説明】
【０００９】１  駒１
２  上形板
３  下形板
４  盤
５  駒２の平形板
ａ  上下形板の凸部
ｂ  上下形板の凹部
ｃ  盤の目の角部から斜め下に引いた軸線
【図１】
0003215081.tif 000003
【図２】
0003215081.tif 000004
【図３】
0003215081.tif 000005
【図４】
0003215081.tif 000006
【図５】
0003215081.tif 000007
【図６】
0003215081.tif 000008
【図７】
0003215081.tif 000009
(57)【要約】      （修正有）【課題】アルミの押し出し成形材よりなり、表面意匠を向上する引き手を提供する。【解決手段】アルミの押し出し成形材よりなる引き手１において、その表面２に、押し出し方向に直交する断面において凹凸する凹凸形状１０を持ち、凹凸形状１０は押し出し成形時に連続して設けられ、直交する断面においてその巾寸法を不規則とするように配置されている。【選択図】図１
0003215015.tif 000002
【実用新案登録請求の範囲】
【請求項１】
アルミの押し出し成形材よりなる引き手において、
その表面に、押し出し方向に直交する断面において凹凸する凹凸形状を持ち、前記凹凸形状は押し出し成形時に連続して設けられてなることを特徴とする引き手。
【請求項２】
前記凹凸形状が、前記直交する断面においてその巾寸法を不規則とするように配置されている請求項１または２記載の引き手。
【請求項３】
前記表面に、前記凹凸形状とダイスマークとにより木目状パターンを備える請求項１または２記載の引き手。
【考案の詳細な説明】
【技術分野】
【０００１】  この考案は、家具の扉や引き出しの前板等に使用されるアルミの押し出し成形材よりなる引き手に関する。
【背景技術】
【０００２】  流し台の扉等には、その上縁に沿ってアルミの押し出し成形材よりなる引き手が取り付けられている。現状におけるこの種引き手は、表面はステンレス面が反射するだけで意匠性に乏しい問題がある。また、表面にアルミの押し出し成形に伴う微細な線状傷が残っており、この点においても意匠性が損なわれている。したがって、高級感を持つ扉等への使用が制限されることとなっている。
【考案の概要】
【考案が解決しようとする課題】
【０００３】  この考案は上記の事情に鑑みて行ったもので、アルミの押し出し成形材よりなる引き手の表面意匠を向上することを目的とする。
【課題を解決するための手段】
【０００４】  この考案では、アルミの押し出し成形材よりなる引き手において、その表面に、押し出し方向に直交する断面において凹凸する凹凸形状を持ち、前記凹凸形状は押し出し成形時に連続して設けられてなることを特徴とする引き手を提供する。【０００５】  上記構成の引き手は、表面に押し出し方向に直交する断面において凹凸する凹凸形状を持つことで、意匠性に優れたものとなる。凹凸形状は押し出し成形時に設けられるので、凹凸形状の形成が手間をかけることなく容易に行われる。【０００６】  凹凸形状が、直交する断面においてその巾寸法を不規則とするように配置されることで、凹凸形状が複雑となってより意匠性が高められ、くわえて、表面に凹凸形状とダイスマークとにより木目状パターンを備えることで、さらに意匠性が高められる。【０００７】  この考案の引き手は、家具の扉や引き出しの前板、さらに、建具等において広く用いられる。また、表面に薄くカラー塗装がなされることで、より意匠性が高いものとなる。
【考案の効果】
【０００８】  この考案によれば、アルミの押し出し成形材よりなる引き手の表面意匠を向上でき、これにより、アルミの押し出し成形材よりなる引き手を家具や建具等において広く使用できるようになる。くわえて、凹凸形状が押し出し成形時に連続して設けられるので、意匠性に優れる引き手が製造容易に得られる。
【図面の簡単な説明】
【０００９】
【図１】  この考案の引き手の実施形態の外観斜視図
【図２】  この考案の引き手の実施形態の側面図
【図３】  この考案の引き手の実施形態の要部拡大側面図
【図４】  この考案の引き手の実施形態の要部拡大平面図
【考案の実施形態】
図１はこの考案の引き手の実施形態の外観斜視図、図２は同側面図である。
【００１０】  引き手１は扉用であり、アルミの押し出し成形材よりなり、上面部３と、上面部３の後端から下方に延び出す背面部５と、背面部５の途中から前方に延び出す扉１００の上縁への取付け部７とから構成されている。上面部３の前縁には連続して指かけ部９が下方に突出して設けられている。
【００１１】  引き手１の扉１００に取り付けられた際に目に触れる表面２、すなわち、上面部３及び取付け部７それぞれの下面と背面部５の下部前面を除く表面２は、押し出し方向に直交する断面において凹凸形状１０を備えている。その凹凸形状１０はアルミの押し出し成形機のダイスに設けられた凹凸形状により得られ、引き手１が押出成形される際に同時に形成される。
【００１２】  凹凸形状１０は、その断面においてその巾寸法を不規則とするように配置されている。図３、図４はその拡大図であり、その凹み寸法Ｘは０．２ｍｍと一定であるが、凹部１２Ａ、１２Ｂ、１２Ｃそれぞれの巾は、１．７ｍｍ、３．０ｍｍ、１．５ｍｍと異なっている。１５の多数の微細ラインは成形時に形成されるダイスマークある。
【００１３】  引き手１の表面２は、上記のように凹凸形状１０にくわえて微細なダイスマーク１５が多数存在することで、横方向に連続する凹凸模様に同方向の微細な多数のダイスマーク１５が混ざり、これにより木目状パターンを備えた意匠性に優れるものとなっている。
【符号の説明】
【００１４】１      引き手
２      表面
３      上面部
５      背面部
７      取付け部
１０    凹凸形状
１２Ａ  凹部
１２Ｂ  凹部
１２Ｃ  凹部
１５    ダイスマーク
１００  扉
【図１】
0003215015.tif 000003
【図２】
0003215015.tif 000004
【図３】
0003215015.tif 000005
【図４】
0003215015.tif 000006
(57)【要約】      （修正有）【課題】スマートフォン操作中に、周囲に危険な状況が生じた場合に、危険情報がスマートフォンから発せられることによって事故を未然に回避できるスマートフォンを提供する。【解決手段】スマートフォンのカメラ部１やマイク部２、センサ部３により周囲の状況をキャッチし、その情報をＡＩ部４において解析し、危険な状況である場合には、スマートフォンの表示部５のディスプレイあるいはスピーカ部６で危険情報を知らせる。【選択図】図１
0003215014.tif 000002
【実用新案登録請求の範囲】
【請求項１】
スマートフォンのカメラおよび／またはマイクおよび／またはセンサを通して周囲の状況をキャッチし、その情報をＡＩで解析し、危険な状況と判断した場合には、ディスプレイおよび／またはスピーカに警告を出すようにしたスマートフォン。
【考案の詳細な説明】
【技術分野】
【０００１】  歩きながらスマートフォンを操作していると人や障害物にぶっつかったりして、危険な状況に遭遇する場合がある。本考案は、スマートフォンに付いているカメラやマイク或いはセンサを通して周囲の状況を把握し、その情報が危険かそうで無いかをＡＩで解析して、危険が生じるようであれば、スマートフォンの画面に警告を表示したり、あるいは音声で知らせるようにしたスマートフォンに関するものである。
【背景技術】
【０００２】  従来のスマートフォンには、カメラやマイクが付いていても、画像や音を解析し危険情報として知らせる機能がない為、スマートフォン操作に夢中になると、つい周囲の状況を把握することがおろそかになり、危険な目に遭ったり事故になったりすることがあった。
【考案の概要】
【考案が解決しようとする課題】
【０００３】  スマートフォン操作に夢中になっても、周囲に危険な状況が生じた場合には、スマートフォンの画面もしくは音声でスマートフォンを操作している人間に、危険な状況を避ける為の警告を発して事故を未然に回避することができるスマートフォンを提供すること。
【課題を解決するための手段】
【０００４】  スマートフォンに取り付けられたカメラとマイク或いはセンサによって周囲の状況をキャッチし、この状況情報をＡＩ機能で解析する。その結果、危険な状況であると判断した場合には、スマートフォンの画面に危険情報を表示もしくは音声あるいは光等でスマートフォンの操作者に危険な状況であることを知らせる。
【考案の効果】
【０００５】  本考案が施されているスマートフォンには周囲状況を監視する装置が付いている為、もしスマートフォンの操作に夢中になったとしても、周囲に危険な状況が発生した場合には、危険情報が発せられる為、事故を未然に防ぐことが可能となる。
【図面の簡単な説明】
【０００６】
【図１】スマートフォンの概略を示すブロック図
【考案を実施するための形態】
【０００７】  スマートフォンに付いているカメラやマイク及びセンサをスマートフォンの周囲状況監視の為にも利用可能な構成にする。カメラやマイク及びセンサがキャッチした情報を、危険な状況にあるのかそうでないのかをＡＩ機能で判断し、危険と判断した場合には、危険情報をスマートフォンのディスプレイに表示したり、スピーカに発声したりする。
【実施例】
【０００８】  以下、添付図面に従って実施例を説明する。第１図は、スマートフォンの概略を示すブロック図である。スマートフォンに付いているカメラ部１からスマートフォンの周囲状況の映像が取り込まれる。マイク部２からは周囲の音声情報が取り込まれる。また、センサ部３からは周囲の物体の有無等の情報が取り込まれる。これらの情報をＡＩ部４において、スマートフォンの周囲に危険な状態が発生しようとしているのかそれとも安全な状態であるのか、を判断する。その結果危険な状況になりそうである場合には、その危険を回避する為の警告を表示部５のディスプレイに表示するか、あるいはスピーカ部６に音声として流す。
【符号の説明】
【０００９】１  カメラ部
２  マイク部
３  センサ部
４  ＡＩ部
５  表示部
６  スピーカ部
【図１】
0003215014.tif 000003
(57)【要約】      （修正有）【課題】ペットボトル容器内に密封収容したお米の販売を目的とした専用自動販売機を提供する。【解決手段】ペットボトル容器内に密封収容したお米の販売を目的とした専用自動販売機本体１は、一般的な清涼飲料水自動販売機と同等の形状及び販売装置を有し、機内に５００ｍＬサイズ程のペットボトル容器を多数投入可能な商品収容箇所３を備え、ペットボトル容器内に密封収容したお米の品質劣化を抑制するために機内の商品収容箇所内を摂氏温度１０〜１５度に保温・維持する構造であって、さらには、商品収容箇所内を一定温度に保つ為の温度設定装置４及び冷却用の熱交換装置５を機内部に備える。【選択図】図１
0003215016.tif 000002
【実用新案登録請求の範囲】
【請求項１】
ペットボトル容器内に密封収容したお米の販売を目的とした専用自動販売機本体は、一般的な清涼飲料水自動販売機と同等の形状及び販売装置を有し、該機内に５００ｍＬサイズ程のペットボトル容器を多数投入可能な商品収容箇所を備え、該ペットボトル容器内に密封収容したお米の品質劣化を抑制するために該機内の該商品収容箇所内を摂氏温度１０〜１５度に保温・維持する構造であって、さらには、該商品収容箇所内を一定温度に保つ為の温度設定装置及び冷却用の熱交換装置を該機内部に備えた構造を特徴とする自動販売機。
【考案の詳細な説明】
【技術分野】
【０００１】  本考案は、自動販売機に関する。
【背景技術】
【０００２】  従来より、自動販売機に於いては、清涼飲料水自動販売機が広く一般に普及している。【０００３】  また、近年、清涼飲料水以外を商品とした専用自動販売機も現れ、日常生活に於いて様々な利点をもたらしている。【０００４】しかしながら、お米の販売を専用とした自動販売機は少なく、お米専用自動販売機に於いて、知る限りでは、多重量のお米を袋容器に入った形状で販売しようとする提案がある。
【先行技術文献】
【特許文献】
【０００５】
【特許文献１】実開平０３−０９３９９０公報
【考案の概要】
【考案が解決しようとする課題】
【０００６】  本考案は、自動販売機に関し、ペットボトル容器内に密封収容したお米の販売を目的とした専用自動販売機を提供しようとするものである。
【課題を解決するための手段】
【０００７】  ペットボトル容器内に密封収容したお米の販売を目的とした専用自動販売機本体１は、一般的な清涼飲料水自動販売機と同等の形状及び販売装置を有し、該機内に５００ｍＬサイズ程のペットボトル容器を多数投入可能な商品収容箇所３を備え、該ペットボトル容器内に密封収容したお米２の品質劣化を抑制するために該機内の該商品収容箇所３内を摂氏温度１０〜１５度に保温・維持する構造であって、さらには、該商品収容箇所３内を一定温度に保つ為の温度設定装置４及冷却用の熱交換装置５を該機内部に備えた構造を特徴とした。
【考案の効果】
【０００８】  本考案によれば、ペットボトル容器内に密封収容したお米の販売を目的とした専用自動販売機本体１は、一般的な清涼飲料水自動販売機と同等の形状及び販売装置を有していることから、従来程度のスペースがあれば容易に設置でき、かつ、簡単な操作で商品を購入することが可能である。【０００９】また、商品はペットボトル容器内に密封収容したお米であることから、販売機内で清潔に保たれるとともに、該機内の商品収容箇所内は、販売商品であるお米が品質劣化しにくい摂氏１０〜１５度の温度で一定であることから、酸化やカビ・虫などの発生を抑制できる効果が期待でき、安心安全なお米販売が期待できる。【００１０】また、商品はペットボトル容器内に密封収容したお米であることから、商品補充作業も簡単であることが期待できる。【００１１】また、商品はペットボトル容器内に密封収容したお米であることから、持ち運びが容易で、管理もしやすい形状であると期待できる。【００１２】また、本考案によれば、ペットボトル容器内に密封収容したお米の販売を目的とした専用自動販売機本体は、商品収容箇所内の設定温度と外気温との温度差が年間平均して小さいことから、冷却用の熱交換装置の小型化や消費電力量の軽減が期待できる。【００１３】また、上述した理由から、ペットボトル容器内に密封収容したお米の販売を目的とした専用自動販売機本体の普及が期待できる。
【図面の簡単な説明】
【００１４】
【図１】  本考案に於けるペットボトル容器内に密封収容したお米の販売を目的とした専用自動販売機本体の開扉時の見取図である。
【図２】  ペットボトル容器内に密封収容したお米の商品形状を表した正面図である。
【考案を実施するための形態】
【００１５】  以下、本考案の実施の形態について、図面を参照して説明する。
図１・図２に示すように、ペットボトル容器内に密封収容したお米の販売を目的とした専用自動販売機本体１は、一般的な清涼飲料水自動販売機と同等の形状及び販売装置を有し、該機内に５００ｍＬサイズ程のペットボトル容器を多数投入可能な商品収容箇所３を備え、該ペットボトル容器内に密封収容したお米２の品質劣化を抑制するために該機内の該商品収容箇所３内を摂氏温度１０〜１５度に保温・維持する構造であって、さらには、該商品収容箇所３内を一定温度に保つ為の温度設定装置４及び冷却用の熱交換装置５を該機内部に備えた構造を特徴とした。
【００１６】  該販売装置は必ずしも単一の部品や装置を指すのでなく、自動販売機本体１の扉部に設けた商品見本表示及び購入ボタン装置部７や基盤コントロールボックス８やコインメック９や商品取出口１０などの総称とする。
【００１７】  該温度設定装置４は必ずしも単一の部品や装置を指すのでなく、温度センサーやサーモスタット、温度調節ダイヤル等の総称とする。
【００１８】  冷却用の該熱交換装置５に於いても、接続部品等を含む総称とし、該機内部下方に設置することが好ましい。
【符号の説明】
【００１９】  １  自動販売機本体
２  ペットボトル容器内に密封収容したお米
３  商品収容箇所
４  温度設定装置
５  熱交換装置
６  商品投入口
７  商品見本表示及び購入ボタン装置部
８  基盤コントロールボックス
９  コインメック
１０  商品取出口
【図１】
0003215016.tif 000003
【図２】
0003215016.tif 000004
(57)【要約】      （修正有）【課題】長期間使用できる化粧用パフを提供する。【解決手段】化粧用パフ１Ａは、容器状の薄層本体２と、この薄層本体２に充填されるジェル３と、薄層本体２と周辺部において接着され、ジェル３を包み込むように閉じ込める上面薄層４を有する。薄層本体２と上面薄層４は異なる素材からなる。上面薄層４は新品パーツ４Ａと取り換え可能である。新品パーツ４Ａは、貼り付ける下面に粘着層４２Ａがあり、使用時まで剥離層４１Ａにより保護されている。【選択図】図３
0003215063.tif 000002
【実用新案登録請求の範囲】
【請求項１】
容器状の薄層本体（２）と、この薄層本体（２）に充填されるジェル（３）と、前記薄層本体（２）と周辺部において接着され、前記ジェルを包み込むように閉じ込める上面薄層（４）を有し、前記薄層本体（２）と前記上面薄層（４）が異なる素材からなる化粧用パフ（１）であって、前記上面薄層（４）が新品パーツ（４Ａ）と取り換え可能であることを特徴とする化粧用パフ（１，１Ａ）。
【請求項２】
新品パーツ（４Ａ）としての上面薄層は、貼り付ける下面に粘着層（４２Ａ）があり、使用時まで剥離層（４１Ａ）により保護されている請求項１記載の化粧用パフ（１，１Ａ）。
【考案の詳細な説明】
【技術分野】
【０００１】
本考案は化粧用パフに関する。
【背景技術】
【０００２】
本出願人は実用新案登録第3212627号において、次のような考案を提案した。すなわち、容器状の薄層本体と、この薄層本体に充填されるジェルと、前記薄層本体と周辺部において接着され、前記ジェルを包み込むように閉じ込める上面薄層を有する化粧用パフであって、前記薄層本体と前記上面薄層が異なる素材からなることを特徴とするものである。
【０００３】
この考案によれば、ファンデーションを皮膚になじませると共に余分のファンデーションを吸い取るときには上面薄層側を使用し、皮膚の上で伸ばすときには薄層本体側を使用することができる。
【先行技術文献】
【特許文献】
【０００４】
【特許文献１】実用新案登録第3212627号
【考案の概要】
【考案が解決しようとする課題】
【０００５】
前記従来技術では、上面薄層は織物層又は編物層であるために、比較的に早く汚れやすい。汚れがひどくなれば、ジェルや薄層本体はまだ使用可能であるにもかかわらず、全体を廃棄せざるを得なかった。
【０００６】
本考案は、前記従来技術を使用しながら、さらにこの化粧用パフを長期間使用できるようにすることを目的とする。
【課題を解決するための手段】
【０００７】
本考案は、容器状の薄層本体と、この薄層本体に充填されるジェルと、前記薄層本体と周辺部において接着され、前記ジェルを包み込むように閉じ込める上面薄層を有し、しかも、前記薄層本体と前記上面薄層が異なる素材からなる化粧用パフであって、なおかつ前記上面薄層が新品パーツと取り換え可能であることを特徴とする。
【０００８】
新品パーツとしての上面薄層は、貼り付ける下面に粘着層を有し、使用時まで剥離層により保護されている。
【考案の効果】
【０００９】
本考案においては、上面薄層が取り換え可能であるため、ジェルや薄層本体は以前のものを使用しつつ、上面薄層のみを新品パーツと取り換えることができる。その結果、従来の製品と比べて本考案の化粧用パフは長期間の使用が可能となった。
【図面の簡単な説明】
【００１０】
【図１】本考案の実施例に係る化粧用パフの（ａ）平面図、（ｂ）底面図、（ｃ）正面図、（ｄ）側面図である。
【図２】図１（ａ）の矢示部分における断面図である。
【図３】本実施例の化粧パフの側面図であり、（ａ）汚れた上面薄層を化粧パフから除去する工程、（ｂ）新しい上面薄層を用意し、その剥離層を除去する工程、（ｃ）新しい上面薄層を古いジェルや薄層本体に付着させる工程、（ｄ）新しい上面薄層を付着させて化粧パフを完成させる工程、を示している。
【考案を実施するための形態】
【００１１】
以下、添付の図面に基づき、本考案の実施例を説明する。  
【実施例１】
【００１２】
図１、図２に示すように、本考案のパフ１は、容器状の薄層本体２と、薄層本体２に充填されるジェル３と、前記薄層本体２と周辺部において接着され、前記ジェル３を包み込むように閉じ込める上面薄層４からなる。
【００１３】
薄層本体２としては、天然／合成ゴム、軟質樹脂、等が使用可能である。合成ゴムとしては、例えばシリコンゴムやウレタンゴムなどを用いることができる。軟質樹脂としては、スチレン系、オレフィン系、ポリエステル系の熱可塑性エラストマーなどが例示される。  
【００１４】
ジェル３の素材としては、寒天、こんにゃく、ゼラチンなどのヒドロジェルや、シリコンジェル、ポリウレタンジェル、スチレンジェルなどのオルガノジェルを使用することができる。
【００１５】
上面薄層４としては、スポンジまたは織物が好ましく、編物等の繊維生地も用いることができる。スポンジは、ウレタン（特殊ウレタンまたは湿式ウレタン等）、ラテックス、ＰＶＡ（Ｐｏｌｙｖｉｎｙｌ Ａｌｃｏｈｏｌ）またはＮＢＲ（アクロニトリルブタジエンラバー）等が例示される。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。
【００１６】
本実施例のパフ１を製造するには、まず、型（図示せず）の内壁に薄層本体２の塗膜を形成する。その後、薄層塗膜内にジェル３を充填する。次に、ジェル３が充填された型を加熱してジェル３を硬化させる。硬化後、脱型して、上面を閉じたあと、上面薄層４を接着して化粧用パフを得る。場合により脱型された直後の化粧用パフのバリ等を除去する。
【００１７】
本考案では、使用により汚れた上面薄層４が取り換え可能であることが特徴である。図３に基づいて、その取り換え工程を説明する。
【００１８】
まず、（ａ）に示すように、使用により汚れた上面薄層４を除去する。薄層本体２及び充填されるジェル３はそのまま古いものを残す。続いて、（ｂ）に示すように、新品のパーツである上面薄層４Ａを用意し、その剥離層４１Ａを除去して粘着層４２Ａを露出させる。続いて、新しい上面薄層４Ａを古い薄層本体２に付着させれば（（ｃ））、新しい化粧用パフ１Ａとして使用可能である（（ｄ））。
【００１９】
新品のパーツである上面薄層４Ａは、製品販売時にスペアとして１個以上付属させることもできるし、別売品とすることもできる。
【符号の説明】
【００２０】
１     化粧用パフ
１Ａ   化粧用パフ
２     薄層本体
３     ジェル
４     上面薄層
４Ａ   上面薄層
４１Ａ 剥離層
【図１】
0003215063.tif 000003
【図２】
0003215063.tif 000004
【図３】
0003215063.tif 000005
(57)【要約】      （修正有）【課題】安価でしかも花卉を配送する場合の破損を防止できる配送中の箱内の安定性にすぐれる生花用ケースを提供する。【解決手段】花卉１の装飾品を包装するケースであって、長方形状に形成され、内部に装飾品が収容される収容部材２と、土台部材３に形成され、土台部材を底の無い透明ケース４で覆い、土台部材にリボンｅを通し、そのリボンを透明ケースの側面を通して透明ケースの上部にて結び全体を固定する。【選択図】図２
0003215034.tif 000002
【実用新案登録請求の範囲】
【請求項１】
花卉の装飾品を包装するケースであって、 長方形状に形成され、内部に前記装飾品が収容される収容部材と、 土台部材に形成され、それを底の無い透明ケースで覆ってあり、土台部材にリボンを通してそれを底の無い透明ケースの側面を通して透明ケースの上部にて結び全体を固定することを特徴とする生花用ケース。
【請求項２】
前記装飾品が収容されるケースは土台部分と離れないようにするために土台部材の中央に収容部材が入る丸い穴を開け、その穴に３〜５カ所の突起を付け、収容部材には土台部材の突起を入れる穴を土台部材の突起の大きさに合わせて穴を土台部材の突起数開けて、土台部材と収容部材の穴に土台部材の突起を入れ、入れた突起が振動等で外れない様に収容部材の穴の横に連結して小さめの穴を開けてそこに収容部材に入れた突起を誘導して固定することを特徴とする請求項1記載の生花用ケース。
【請求項３】
前記収容部材に収まっている花卉が土台部材から離れないように固定するために花卉の吸水目的で花卉に取り付けた水分を含んだ袋またはゼリー状になった水袋を土台部材の穴に入れ、該水袋は自由自在に変形するので土台部材の穴は通り、その後土台部材の中で横に広がるため振動くらいでは土台部材と花卉は離れなくなることを特徴とする請求項1又は2に記載の生花用ケース。
【考案の詳細な説明】
【技術分野】
【０００１】
本考案は生花の配送中の破損を避ける為の安価で出来た包装容器に関する。
【背景技術】
【０００２】
生花を綺麗に見せて、配送中も破損の確率が低くしかも安価に出来る包装容器の依頼が多いため各種容器が考えられてきた。
【先行技術文献】
【特許文献】
【０００３】
【特許文献１】第３０４９２１６号
【考案の概要】
【考案が解決しようとする課題】
【０００４】
安価で見栄えが良いという花卉の包装容器の依頼は多いが、無駄を省き安価にするだけでは生花を配送する場合に破損が発生する可能性が高まる。安価でしかも花卉を配送する場合の破損をなくすためには配送中の箱内の安定性が必要となる。
【課題を解決するための手段】
【０００５】
包装容器に入った花卉を綺麗に見せる為には花卉が多方面から見える様にする必要がある。その為には透明ケースを使用するが、この透明ケースの底は価格を安価にする為に開いている。また、安価に作る為に花卉を入れる容器と土台部材は紙製品で作る。収容部材と土台部材が外れない様に土台部分の中央に穴を開けて穴の数カ所に突起をだし、花卉を入れる収容部材の数カ所に土台部材の突起が入りスライドして固定出来るようにする。そしてこの花を入れる収容部材と土台部材を組み合わせて花を入れる。花卉には土台部材の穴より大きい吸水袋に入れて土台から外れない様にする。花卉を入れた収容部材と土台部材を組み合わせて、それを透明ケースで覆い、この回りをリボンで結ぶ事で透明ケースと土台部材が外れない様にする。
【考案の効果】
【０００６】
配送中の破損も無くしかも花卉も綺麗に見える安価なケースが出来る。
【図面の簡単な説明】
【０００７】
【図１】花卉を生花用ケースに入れたときの全体図である。
【図２】花卉を除いたそれぞれのパーツの図である。
【図３】土台部材とリボンの拡大図である。
【図４】底が無い透明ケースの図である。
【図５】収容部材である。
【図６】土台部材の平面図である。
【図７】水分を含んだ袋またはゼリー状になった水袋に入れた花卉である。
【符号の説明】
【０００８】
１  花卉
２  収納部材
３  土台部材
４  透明ケース
a  透明ケースの空いた底
b  収納部材の開いた穴
c  土台部材の突起部分
d  土台部材底の突起部分
e  リボン
f  水分を含んだ袋またはゼリー状になった水袋
【図１】
0003215034.tif 000003
【図２】
0003215034.tif 000004
【図３】
0003215034.tif 000005
【図４】
0003215034.tif 000006
【図５】
0003215034.tif 000007
【図６】
0003215034.tif 000008
【図７】
0003215034.tif 000009
(57)【要約】      （修正有）【課題】言葉（単語）を楽しく覚えられ、一度覚えたら忘れないようにできる出版物を提供する。【解決手段】表音文字を名前の頭が同音または類似音の動物や人物、物などのイラストや写真画像とともに一覧表にして割り当てる。学習者はそれらのイラストや画像を学習する言葉と独創的にからめてイメージできる。【選択図】図１
0003215185.tif 000002
【実用新案登録請求の範囲】
【請求項１】
表音文字と同じまたは類似の音で始まる名前の動物や人物、物などのイラストや写真画像を表音文字の代用として活用し、言葉を覚える手助けとする教材、書籍、雑誌など電子版を含む出版物及び学習システム。
【考案の詳細な説明】
【技術分野】
【０００１】  本考案は、名前の頭文字または音声が表音文字（日本語ではあ、い、う、え、お、など意味を持たない文字）と同じ、あるいは類似する動物や人物、物、形状、色などのイラストや写真を活用して、それらの実像をイメージすることで、学んだ言葉を確実に思い出せるようにしたものである。
【背景技術】
【０００２】  従来は、すべての表音文字に動物名や人物名、物名などの頭の音声をふりあてて言葉を覚える出版物や学習法はなかった。
【考案が解決しようとする課題】
【０００３】  新しい言葉を覚えても時間の経過と共に忘れがちだ。語学の学習では、単語力が大きな役割を果たすが、味気ない暗記学習は退屈だった。何度も書いたり声を出したりして覚えても、忘れたり、思い出せないことが多かった。
【考案の概要】
【課題を解決するための手段】
【０００４】それぞれの表音文字に割り当てられた動物や人物、物などと対象物（学習する言葉）を巨大化したり、特徴づけたりして、双方をからめてイメージする。
【考案の効果】
【０００５】非日常的な経験は忘れないという記憶の原理を応用して、ありえないような状況を想定して覚えることで、学んだ言葉が容易に思い出せる。また、それらを想像すること自体を楽しみながら覚えられる。
【図面の簡単な説明】
【０００６】
【図１】表音文字音声に割り当てられた日本語名ベース及び英語名ベースの動物や人物などの標準とする画像の一覧表（一部）。
【図２】学習対象語の画像と一覧表から抽出した学習対象語に符合する画像文字。（Ａ．日本語名ベース、Ｂ．英語名ベース）。
【図３】図２の対象語を覚えるためにイラスト文字をからめて想像した例（Ａ．日本語名ベース、Ｂ．英語名ベース）。
【考案を実施するための形態】
表音文字に割り当てられる動物や人物や物など（名前の頭文字の音が同じまたは類似する）の標準一覧表の作成。割り当てられる動物や人物、物などの名前は学習者の母国語での名前、または学習対象の言語名とすることができる。たとえば、英語圏の外国人が日本語の言葉を覚える場合、動物や人物や物などの名前として日本語を活用することも英語を活用することもできる。また、あらかじめ選んである標準画像を学習者の好みの画像にかえることができる。これらの表を活用して、インターネットや電子機器を含めた教材、学習システムで役立てることができる。
【実施例】
【０００８】図３の学習対象語「えき」を覚えるとき（Ａ．日本語ベース）：「え」に割り当てられる「えび」と、「き」に割り当てられる「きりん」のアクション想像図。【０００９】図３の学習対象語「えき」を覚えるとき（Ｂ．英語ベース）：「え」に割り当てられる「ｅ」に割り当てられる「ｅｌｅｐｈａｎｔ」と、「ｋｉ」に割り当てられる「ｋｉｎｇ  ｇｏｒｉｌｌａ」のアクション想像図。
【符号の説明】
【００１０】  図３の１一想像図。
図３の２一想像図。
【図１】
0003215185.tif 000003
【図２】
0003215185.tif 000004
【図３】
0003215185.tif 000005
【手続補正書】
【提出日】平成29年8月17日(2017.8.17)
【手続補正１】
【補正対象書類名】実用新案登録請求の範囲
【補正対象項目名】全文
【補正方法】変更
【補正の内容】
【実用新案登録請求の範囲】
【請求項１】
１
デジタルの文字に表記される特定の単語をクリックする、あるいは検索ボックスに入力すると、あらかじめフォルダーに格納した表音文字と同じまたは類似の音で始まる名前の動物、人物、物、空想の創造物、抽象物から容易に想像できる物のイラストや写真画像、あるいはそれらを組み合わせたイラストや写真画像から該当するものを引き出して表記するアプリ。
【手続補正書】
【提出日】平成29年12月12日(2017.12.12)
【手続補正１】
【補正対象書類名】実用新案登録請求の範囲
【補正対象項目名】全文
【補正方法】変更
【補正の内容】
【実用新案登録請求の範囲】
【請求項１】
語学学習テキストに用いられる単語を容易に学べるようにするため、表音文字と同じまたは似た音で始まる名前の動物、人物、物のイラストや写真画像の表を掲載する出版物。
(57)【要約】      （修正有）【課題】折りたたんで小形にできるハンガーを提供する。【解決手段】ハンガー板３の中央部に釘板２を付け折りたたみ構造にした。【選択図】図１
0003215109.tif 000002
【実用新案登録請求の範囲】
【請求項１】
２つの板の中央部に釘板を付けたことを特徴とする折りたたみ式ハンガー。
【考案の詳細な説明】
【技術分野】
【０００１】  本考案は、ハンガーに関するものである。
【背景技術】
【０００２】  バックの中に入れて運べるハンガーは殆ど無かった。
【考案の開示】
【考案が解決しようとする課題】
【０００３】  ハンガーを小形、前途の欠点を解決しようとするものである。
【課題を解決するための手段】
【０００４】  本考案は、ハンガーを折りたたむことで小形できる。
【考案の効果】
【０００５】  上途の様に、小形することで簡単に運べる。
【考案を実施するための最良の形態】
【０００６】  ハンガーの中央部に釘板を取付け、ハンガーを折りたためるように加工する。
【実施例】
【０００７】  以下、添付図面に従って実施例を説明する。折りたたみ部よりたたみ半分の大きさにする。【０００８】  本考案の実施例は、上途の如き構成からなるものであり、ハンガーの小形化役立つ。
【図面の簡単な説明】
【０００９】
【図１】側面図
【図２】平面図
【符号の説明】
【００１０】    １  フック
２  釘板
３  板
【図１】
0003215109.tif 000003
【図２】
0003215109.tif 000004
(57)【要約】      （修正有）【課題】無料配布のポケットティッシュを使い易く収納整理するポケットティッシュを楽しく使う収納ＢＯＸを提供する。【解決手段】ポケットティッシュの形状サイズに合った直方体型の収納ＢＯＸを縦長にして、ペーパー置きスペース２とポケットティッシュ格納庫６に仕切ることにより、整理された状態で収納し、楽しく使用できるようにした。収納ＢＯＸの四方壁の２つの短手の一方の面に仕切りから下方へ数センチの高さ幅で投入口４を設け、同じ壁面に底面から数センチの高さ幅で同様に取り出し口５を設けた。【選択図】図１
0003215105.tif 000002
【実用新案登録請求の範囲】
【請求項１】
直方体型のＢＯＸを縦長にして、平面に置いた状態で上方が開口にしてあり、開口縁から数センチ下に仕切りが設けてあって、ペーパー置きスペースと成し、四方壁の２つの短手の一方の面に仕切りから下方へ数センチの高さ幅で切り欠き窓、すなわち投入口を設けてあり、同じ壁面の底面から数センチの高さ幅で同様に切り欠いた取り出し口が設けてあり、そこから取り出されるポケットティッシュの保管スペースをポケットティッシュ格納庫と成すことを特徴とするポケットティッシュを楽しく使う収納ＢＯＸ。
【考案の詳細な説明】
【技術分野】
【０００１】  本考案は、ポケットティッシュを整理して収納しておくためのポケットティッシュを楽しく使う収納ＢＯＸである。
【背景技術】
【０００２】  従来、街頭や店頭などで、広告用の無料ポケットティッシュを受け取る機会がある。
数を重ねると結構な量になる。
それが家の中のあちこちや机引き出しの中等に散在して、非常に見苦しい状態になってしまう。
【考案の概要】
【考案が解決しようとする課題】
【０００３】  ポケットティッシュを１カ所に集めておいても、いつの間にか、また、元のように散らかっている。
本考案は、以上の様な問題点を解決しようとするものである。
【課題を解決するための手段】
【０００４】  直方体型のＢＯＸを縦長にして、平面に置いた状態で上方が開口にしてあり、開口縁から数センチ下に仕切りが設けてあって、ペーパー置きスペースと成し、四方壁の２つの短手の一方の面に仕切りから下方へ数センチの高さ幅で切り欠き窓即ち投入口を設けてあり、同じ壁面の底面から数センチの高さ幅で同様に切り欠いた取り出し口が設けてあり、そこから取り出されるポケットティッシュの保管スペースをポケットティッシュ格納庫と成すことを特徴とするポケットティッシュを楽しく使う収納ＢＯＸである。
【考案の効果】
【０００５】  ペーパー置きスペースに置いてある裸のティッシュが直ぐ使える。
ペーパーが無くなると、ポケットティッシュ格納庫の中にある予備品から直ぐ補充できる。
食卓上や事務机上などに置くことで便利である。
ポケットティッシュを大切にする意識が高まる。
無料配布ポケットティッシュへの関心が高まり、僅かでも家計の足しになる。
【図面の簡単な説明】
【０００６】
【図１】  本考案の斜視図である。
【考案を実施するための形態】
【０００７】  以下、本考案の実施の形態を説明する。
直方体型のＢＯＸを縦長にして、平面に置いた状態で上方が開口にしてあり、開口縁から数センチ下に仕切りが設けてあって、ペーパー置きスペースと成し、四方壁の２つの短手の一方の面に仕切りから下方へ数センチの高さ幅で切り欠き窓、すなわち投入口を設けてあり、同じ壁面の底面から数センチの高さ幅で同様に切り欠いた取り出し口が設けてあり、そこから取り出されるポケットティッシュの保管スペースをポケットティッシュ格納庫と成すことを特徴とするポケットティッシュを楽しく使う収納ＢＯＸである。
本考案を使うときは、直方体型のＢＯＸを縦長にして、平面に置いた状態で、上方が開口にしてある。
開口縁から数センチ下に仕切りが設けてあって、ペーパー置きスペースと成す。
四方壁の２つの短手の一方の面に仕切りから下方へ数センチの高さ幅で切り欠き窓即ち投入口を設けてあり、同じ壁面の底面から数センチの高さ幅で同様に切り欠いた取出し口が設けてあり、そこから取り出される。
ポケットティッシュの保管スペースをポケットティッシュ格納庫と成す。
本考案は、以上のように、ポケットティッシュを楽しく使う収納ＢＯＸである。
【符号の説明】
【０００８】    １  開口縁
２  ペーパー置きスペース
３  仕切り
４  投入口
５  取出し口
６  ポケットティッシュ格納庫
【図１】
0003215105.tif 000003
(57)【要約】      （修正有）【課題】割烹着の下に着物を着ることで受ける体力的負担や、仕事の効率的負担を抑えることができる着物衿付き割烹着を提供する。【解決手段】綿やポリエステルの素材で作った割烹着２の衿の部分に綿や、絹、ポリエステルの素材で作った襦袢や着物の衿１を縫い付け、あたかも割烹着２の下に着物を着ているがごとくに見えるようにする。【選択図】図１
0003215103.tif 000002
【実用新案登録請求の範囲】
【請求項１】
綿やポリエステルの素材で作った割烹着の衿の部分に綿や、絹、ポリエステルの素材で作った襦袢や着物の衿を縫い付け、あたかも割烹着の下に着物を着ているがごとくに見えるようにすることを特徴とした着物衿付き割烹着。
【考案の詳細な説明】
【技術分野】
【０００１】本考案は、割烹着の衿のところに、着物の衿を縫い付けた割烹着に関するものである。
【背景技術】
【０００２】割烹着は、旅館の女将さん、小料理屋の女将さん、お芝居の出演者、料理研究家、正月等着物を着たときに家事をする主婦等一定の需要を保っているエプロンの一種である。
【考案の概要】
【考案が解決しようとする課題】
【０００３】基本的に、着物の上に付けるエプロンなので、夏等は暑い。また、着物を着るという事も結構手間がかかるし、着物というものは、動きやすさという点から考えた時効率的にはあまり良くないと考えられるが、日本的な情緒を醸し出すことが出来るので不便な中あえて着ていることも結構あると考えられる。
【課題を解決するための手段】
【０００４】割烹着の衿の部分に、着物の衿の部分だけを縫い付ける。後側は、下に着ているものが見えないように、被り式にするか、前ボタンなのど方法が考えられる。
【考案の効果】
【０００５】割烹着に求められる日本的な情緒を醸し出す役目を果たすものは、割烹着の衿の部分から、出ている着物の衿の部分が大部分であるから、その衿の部分さえ見えていればいいわけなので、実際、割烹着の下にラフな洋服を着ていたとしても良いわけである。割烹着の下がラフな格好であれば、夏場等暑い時、かなり体力面で助かる。また、着付けをしなくてもいいので、用意が楽で、時間も節約できる。割烹着の裾の部分から見えるものは、スラックス等でもよいが、着物の裾を縫い付けてもよい。また、もう洋服とのコラボを前提として、洋装のエプロンに着物の衿を縫い付け、幅の広い袖の洋服等との組合せも考えられる。【０００６】着物のように、着崩れを心配しなくていいし、動きやすく仕事の効率も上がり、体力の消耗を抑えることもできる。【０００７】さっと着ることができて、時間の節約になる。コートや羽織とかと組み合わせて、海外から来られる観光客に手軽に着物気分を味わってもらえる。
【図面の簡単な説明】
【０００８】
【図１】割烹着に着物衿を縫い付けた正面図
【考案を実施するための形態】
【０００９】綿やポリエステルの素材で作った割烹着の衿の部分に綿や、絹、ポリエステルの素材で作った襦袢や着物の衿を縫い付け、あたかも割烹着の下に着物を着ているがごとくに見えるようにする。
【実施例】
【００１０】以下添付図に従って、一実施例を説明する。１は、綿や、絹、ポリエステルで作った襦袢や着物の衿であって、２は割烹着である。２の割烹着に１の襦袢や、着物の衿を縫い付ける。
【符号の説明】
【００１１】１  襦袢や着物の衿
２  割烹着
【図１】
0003215103.tif 000003